(57)【特許請求の範囲】
【請求項１】
ロッカーアームをカムの代わりに押圧するデコンプレバーを、カム軸のピン孔に圧入によって固定したピンを介して回動自在に支持させたエンジンのデコンプ装置において、前記ピン孔の軸線方向の中央部を前記ピンの両端部が前記デコンプレバーから突出するようにピンが圧入される圧入部とするとともに、前記ピン孔の軸線方向の両端部を前記中央部より径が大きくなるように形成し、このピン孔の両端部と、このピン孔を貫通した前記ピンとの間に隙間を形成し、このピンの両端部の突出部分に前記デコンプレバーを回動自在に支持させたことを特徴とするエンジンのデコンプ装置。
【請求項２】
ロッカーアームをカムの代わりに押圧するデコンプレバーを、カム軸のピン孔に圧入によって固定したピンを介して回動自在に支持させたエンジンのデコンプ装置において、前記ピンの軸線方向の中央部をこのピンの両端部が前記デコンプレバーから突出するようにカム軸に圧入する圧入部とするとともに、前記ピンの軸線方向の両端部を前記中央部より径が小さくなるように形成し、前記ピン孔の軸線方向の両端部と、このピン孔を貫通した前記ピンとの間に隙間を形成し、このピンの両端部の突出部分に前記デコンプレバーを回動自在に支持させたことを特徴とするエンジンのデコンプ装置。
【発明の詳細な説明】
【０００１】
【発明の属する技術分野】
本発明は、遠心式のデコンプレバーでロッカーアームをカムの代わりに押圧するエンジンのデコンプ装置に関するものである。
【０００２】
【従来の技術】
従来、例えば船外機用エンジンのデコンプ装置としては、カム軸の排気弁用カムの上方近傍にデコンプレバーをカム軸の軸線とは直交する軸線回りに回動自在に取付け、このデコンプレバーによってエンジン始動時にロッカーアームをカムの代わりに押圧するようにしたものがある。
前記デコンプレバーは、平面視コ字状に形成し、互いに平行な二辺の中央部分をカム軸にピンを介して枢支させ、前記二辺の一端どうしを互いに接続する部位（以下、この部位を押圧子という）が重力で排気弁用カムの基礎円部の軸方向端面に上方から当接するようにしている。
【０００３】
前記押圧子が前記基礎円部に当接している状態（エンジン始動時の状態）では、この押圧子がロッカーアームのスリッパにカムの基礎円部の代わりに接触する。また、前記二辺の他端側は、前記押圧子との重量バランスをとるための遠心ウェイトを構成している。
前記ピンは、外径が全域にわたって一定になるように形成し、カム軸に両端部がカム軸から突出するように圧入によって固定している。この両端部の突出部分にデコンプレバーを回動自在に支持させている。ピンを圧入するカム軸のピン孔は、一定の孔径でカム軸を貫通するように形成している。
【０００４】
このように構成した従来のデコンプ装置においては、エンジン始動時であってクランキング開始からエンジンが始動するまでの間に前記押圧子が前記スリッパに接触することにより、圧縮行程で排気弁が僅かに開いた状態に維持されてエンジンの圧縮力が低減される。このため、ハンドスタータによる始動時の負荷が軽減される。エンジン始動後は、デコンプレバーが遠心力によって枢支部を中心にしてカム軸に対して回動し、押圧子がスリッパの側方へ移動してスリッパがカムの全域に摺接するようになる。この結果、デコンプ装置によるいわゆる圧縮抜けの現象が解消されてエンジンの回転が正常になる。
【０００５】
【発明が解決しようとする課題】
しかしながら、上述したように構成した従来のデコンプ装置においては、デコンプレバー支持用のピンをカム軸に圧入するときに、圧入荷重によってカム軸が僅かに塑性変形してしまうという問題があった。塑性変形が起こるのは、前記ピンの圧入を冷間で実施しなければならず、圧入荷重が相対的に大きくなることと、圧入部の近傍にはカムやジャーナル部が形成されているために、カム軸における圧入時に支える部位が圧入部から大きく離間してしまい、カム軸に作用する曲げモーメントが大きくなることが原因である。熱間圧入を行うと、カム表面の硬化処理層が変質してしまうおそれがある。
【０００６】
また、従来のデコンプ装置は、カム軸とデコンプレバーとの間に製造時に発生した切削屑や、長期にわたって使用することにより発生した摩耗粉などが固着することがあり、これらの異物によってデコンプレバーが回動し難くなるという問題もあった。
【０００７】
本発明はこのような問題点を解消するためになされたもので、カム軸にデコンプレバー支持用のピンを圧入する構造を採りながら、カム軸が塑性変形することがなく、しかもデコンプレバーが円滑に回動するコンプ装置を提供することを目的とする。
【０００８】
【課題を解決するための手段】
この目的を達成するため、本発明に係るエンジンのデコンプ装置は、ロッカーアームをカムの代わりに押圧するデコンプレバーを、カム軸のピン孔に圧入によって固定したピンを介して回動自在に支持させたエンジンのデコンプ装置において、前記ピン孔の軸線方向の中央部を前記ピンの両端部が前記デコンプレバーから突出するようにピンが圧入される圧入部とするとともに、前記ピン孔の軸線方向の両端部を前記中央部より径が大きくなるように形成し、このピン孔の両端部と、このピン孔を貫通した前記ピンとの間に隙間を形成し、このピンの両端部の突出部分に前記デコンプレバーを回動自在に支持させたものである。
請求項２に記載した発明は、ロッカーアームをカムの代わりに押圧するデコンプレバーを、カム軸のピン孔に圧入によって固定したピンを介して回動自在に支持させたエンジンのデコンプ装置において、前記ピンの軸線方向の中央部をこのピンの両端部が前記デコンプレバーから突出するようにカム軸に圧入する圧入部とするとともに、前記ピンの軸線方向の両端部を前記中央部より径が小さくなるように形成し、前記ピン孔の軸線方向の両端部と、このピン孔を貫通した前記ピンとの間に隙間を形成し、このピンの両端部の突出部分に前記デコンプレバーを回動自在に支持させたものである。
本発明によれば、圧入部の長さが短縮されて圧入時の荷重を低減することができる。また、デコンプレバー支持用のピンの両端部とピン孔との間の隙間にオイルが保持されるから、カム軸の回転上昇に伴って前記オイルが遠心力で前記隙間から噴出されるように勢いよく流出し、デコンプレバーの内面にかかるようになる。
【０００９】
【発明の実施の形態】
（第１の実施の形態）
以下、本発明に係るエンジンのデコンプ装置の一実施の形態を図１ないし図６によって詳細に説明する。
図１は本発明に係るエンジンのデコンプ装置を示す正面図で、同図（ａ）はエンジン始動時の状態を示し、同図（ｂ）はエンジン始動後の状態を示す。図２はピンの正面図、図３はカム軸におけるピン孔部分の断面図で、同図は図１（ａ）におけるカム軸のIII−III線断面図である。、図４はピンを圧入したカム軸の断面図、図５はデコンプレバーを組付けたカム軸の断面図である。図６はデコンプレバーを示す図で、同図（ａ）は平面図、同図（ｂ）は側面図、同図（ｃ）は底面図、同図（ｄ）は正面図である。
【００１０】
これらの図において、符号１で示すものは、この実施の形態によるデコンプ装置である。このデコンプ装置１は、図示していない船外機用２気筒エンジンのカム軸２に設けるもので、カム軸２にデコンプレバー３をピン４によって回動自在に取付けた構造を採っている。このカム軸２は、図１に示すように、軸線方向が上下方向を指向する状態でシリンダヘッド（図示せず）に回転自在に支持させている。図１の上側が上下方向の上側である。
【００１１】
このカム軸２は、鋳造または鍛造により所定形状に成形することによって、気筒毎の吸気弁用カム５および排気弁用カム６を軸部７に一体に形成している。また、このカム軸２は、両端部と上下方向の中央部にジャーナル部を形成している。両端部のジャーナル部を符号２ａ，２ｂで示し、中央部のジャーナル部を符号２ｃで示す。この実施の形態では、吸気弁用カム５を排気弁用カム６の上側に形成し、排気弁用カム６の下方近傍に本発明に係るデコンプ装置１を配設している。
【００１２】
前記デコンプレバー３は、図６に示すように、互いに平行な２枚のレバー本体１１，１１と、これらのレバー本体１１の一端部どうしを互いに結合する押圧子１２とによって平面視においてコ字状に形成し、レバー本体１１の長手方向の中央部を支持用ピン４によってカム軸２に上下方向に回動自在に支持させている。また、このデコンプレバー３は、前記レバー本体１１における押圧子１２とは反対側の端部に遠心ウェイト１３を一体に形成し、カム軸２が停止している状態（エンジン停止時の状態）では、前記遠心ウェイト１３の重量で支持用ピン４を中心にして回動し、押圧子１２が排気弁用カム６の基礎円部６ａに当接する構造を採っている。
【００１３】
前記レバー本体１１は、押圧子１２と遠心ウェイト１３との間に支持用ピン４を挿通させるための円形孔１４｛図６（ｂ）参照｝を穿設している。前記押圧子１２は、図１（ａ）に示すように、前記基礎円部６ａに当接している状態では基礎円部６ａより側方（カム軸２の径方向の外方）へ突出し、排気弁用ロッカーアーム１５のスリッパ１５ａを押圧するように形成している。この実施の形態では、押圧子１２の上面に突起１６を突設し、この突起１６が前記基礎円部６ａに下方から当接するようにしている。
【００１４】
前記基礎円部６ａは、前記押圧子１２が当接する部位（下側の端面の一部）を他の部位より下方に突出するように形成している。基礎円部６ａの前記突出部分を図３、図４および図５中に符号１７で示す。この基礎円部６ａに押圧子１２が当接している状態からカム軸２が回転し、遠心ウェイト１３と押圧子１２とに遠心力が作用することによって、このデコンプレバー３は前記押圧子１２が下方へ移動するように支持用ピン４を中心にして回動する。
【００１５】
デコンプレバー３の２枚のレバー本体１１のうち一方には、図１（ｂ）に示すように、遠心力でデコンプレバー３が回動するときの回動範囲を規制するためのストッパー１８を一体に形成している。このストッパー１８は、支持用ピン４の近傍であって、デコンプレバー３が遠心力で回動する方向（押圧子１２が下がる方向）の前側に配設し、排気弁用カム６とはデコンプレバー３を挟んで反対側に設けた円板状凸部１９に当接するようにしている。この円板状凸部１９には、前記遠心ウェイト１３を収容するための切欠き１９ａを形成している。
【００１６】
前記デコンプレバー３を支持する支持用ピン４は、図２に示すように、一端から他端まで外径が一定な丸棒からなり、カム軸２に圧入によって固定している。このピン４を圧入するカム軸２のピン孔２１は、図３に示すように、カム軸２の軸部７を貫通するように穿設しており、両端部２１ａを中央部２１ｂより径が大きくなるように形成している。このピン孔２１の形成は、先ず、相対的に細いドリル（図示せず）で貫通孔を軸部７に穿設し、次に、この貫通孔の両端部に相対的に太いドリルで孔加工を施すことによって行う。
【００１７】
ピン孔２１の中央部２１ｂの孔径をピン４の外径より僅かに小さくなるように設定し、この中央部２１ｂにピン４が圧入されるようにしている。ピン孔２１にピン４を圧入した状態を図４に示し、ピン４にデコンプレバー３を組付けた状態を図５に示す。この実施の形態においては、ピン４をピン孔２１に容易に挿入できるように、ピン孔２１の両端開口部に外方へ向かうにしたがって次第に径が大きくなるテーパー面２１ｃを形成している。
【００１８】
デコンプレバー３の組付けは、ピン４をピン孔２１に圧入する工程で行う。すなわち、デコンプレバー３の一対のレバー本体１１の間にカム軸２の軸部７を挿入し、レバー本体１１の円形孔１４とピン孔２１とを同一軸線上に位置付けた状態で、ピン４を一方のレバー本体１１の円形孔１４を通してピン孔２１に圧入する。ピン４の圧入は、図示していない油圧式のプレス装置によって静荷重を付与するようにして行う。そして、軸部７を貫通したピン４の先端部を他方のレバー本体１１の円形孔１４に挿入する。円形孔１４の孔径は、ピン４の外径より僅かに大きくなるように設定し、カム軸２に固着したピン４にデコンプレバー３が回動自在に支持されるようにしている。
【００１９】
上述したように構成したデコンプ装置１は、エンジン始動時に図１（ａ）に示すように押圧子１２が排気弁用ロッカーアーム１５のスリッパ１５ａを押圧するから、図示していない排気弁が圧縮行程で僅かに開いて圧縮力が低減される。このため、ハンドスタータ（図示せず）でエンジンを始動するときの負荷を軽減することができ、始動が容易になる。
【００２０】
エンジン始動後、カム軸２の回転速度が上昇すると、デコンプレバー３に作用する遠心力によってデコンプレバー３が支持用ピン４を中心にして回動し、図１（ｂ）に示すように、押圧子１２が下方へ移動して前記スリッパ１５ａがカム６の全域に摺接するようになるとともに、ストッパー１８が下方の円板状凸部１９に当接する。ストッパー１８が円板状凸部１９に当接することによって、デコンプレバー３が過度に回動して遠心ウェイト１３が排気弁用ロッカーアーム１５のスリッパ１５ａに当接するのを阻止することができる。
【００２１】
したがって、このデコンプ装置１においては、デコンプレバー支持用のピン４を一端から他端まで外径が一定になるように形成し、このピン４を挿入するカム軸２のピン孔２１の両端部２１ａを中央部２１ｂより径が大きくなるように形成し、前記中央部２１ｂを圧入部としているから、圧入部の長さが短縮されて圧入時の荷重を低減することができる。このため、前記ピン４を圧入するときにカム軸２が圧入荷重によって塑性変形するのを阻止することができる。
【００２２】
また、ピン孔２１の両端部２１ａとピン４との間に微小な隙間が形成され、この隙間にオイルが保持されるから、カム軸２の回転上昇に伴って前記オイルが遠心力で前記隙間から噴出されるように勢いよく流出し、デコンプレバー３のレバー本体１１の内面にかかるようになる。このため、デコンプレバー組付時に残存した切削屑や、長期にわたって使用することにより発生した摩耗粉などがオイルによって洗浄されてレバー本体１１と軸部７との間に詰まるのを阻止することができるから、デコンプレバー３が常に円滑に回動できるようになる。
【００２３】
（第２の実施の形態）
ピン４とピン孔２１は図７および図８に示すように形成することができる。
図７はピン孔の他の実施の形態を示す断面図、図８はピンの他の実施の形態を示す正面図である。これらの図において、前記図１ないし図６で説明したものと同一もしくは同等の部材については、同一符号を付し詳細な説明は省略する。
【００２４】
図７に示すピン孔２１は、一端から他端まで孔径が一定になるように形成している。なお、図７において下側の開口端部には、ピン４の挿入を容易にするために、外方へ向かうにしたがって次第に径が大きくなるテーパ面２１ｃを形成している。
【００２５】
図８に示すピン４は、両端部４ａを中央部４ｂより外径が小さくなるように形成している。前記中央部４ｂの外径は、ピン孔２１の孔径より僅かに大きくなるように設定し、この中央部４ｂのみが圧入部になるようにしている。
このようにピン４とピン孔２１を形成しても第１の実施の形態を採るときと同等の効果を奏する。
【００２６】
第１および第２の実施の形態では船外機用エンジンに本発明に係るデコンプ装置１を適用する例を示したが、このデコンプ装置１は、カム軸が上下方向を指向するように設けられたエンジンであれば、どのようなものにも適用することができる。
【００２７】
【発明の効果】
以上説明したように本発明によれば、圧入代が短縮されて圧入時の荷重を低減することができるから、デコンプレバー支持用のピンをカム軸に圧入するときにカム軸が塑性変形するのを阻止することができる。
また、ピン孔の両端部と前記ピンとの間の隙間にオイルが保持されるから、カム軸の回転上昇に伴って前記オイルが遠心力で前記隙間から噴出されるように勢いよく流出し、デコンプレバーの内面にかかるようになる。このため、デコンプレバー組付時に残存した切削屑や、長期にわたって使用することにより発生した摩耗粉などがオイルによって洗浄されるから、デコンプレバーが常に円滑に回動できるようになる。
【図面の簡単な説明】
【図１】  本発明に係るエンジンのデコンプ装置を示す正面図である。
【図２】  ピンの正面図である。
【図３】  カム軸におけるピン孔部分の断面図である。
【図４】  ピンを圧入したカム軸の断面図である。
【図５】  デコンプレバーを組付けたカム軸の断面図である。
【図６】  デコンプレバーを示す図である。
【図７】  ピン孔の他の実施の形態を示す断面図である。
【図８】  ピンの他の実施の形態を示す正面図である。
【符号の説明】
１…デコンプ装置、２…カム軸、３…デコンプレバー、４…ピン、４ａ…両端部、４ｂ…中央部、６…排気弁用カム、１５…ロッカーアーム、２１…ピン孔、２１ａ…両端部、２１ｂ…中央部。
【図１】
0004335398.tif 000002
【図２】
0004335398.tif 000003
【図３】
0004335398.tif 000004
【図４】
0004335398.tif 000005
【図５】
0004335398.tif 000006
【図６】
0004335398.tif 000007
【図７】
0004335398.tif 000008
【図８】
0004335398.tif 000009